(57)【要約】【課題】  ＬＥＤ光源を用いた照明装置において、各光源の単一電源化により、簡易な動作応答や電圧調整を実現する。【解決手段】  基板と、前記基板上に設けられた複数の配線と、前記配線上に実装された複数のＬＥＤ素子と、を有する光源モジュールが構成された照明装置において、前記複数のＬＥＤ素子は複数の赤色ＬＥＤ素子、複数の緑色ＬＥＤ素子、複数の青色ＬＥＤ素子を有し、前記複数の配線は、前記複数の赤色ＬＥＤ素子を直列に実装した配線、前記複数の緑色ＬＥＤ素子を直列に実装した配線、前記複数の青色ＬＥＤ素子を直列に実装した配線を有し、前記複数の配線は並列に接続され単一の電源電圧で駆動される照明装置の構成をとる。【選択図】図６
2008269947.tif 000002
【特許請求の範囲】
【請求項１】
基板と、
前記基板上に設けられた複数の配線と、
前記配線上に実装された複数のＬＥＤ素子と、を有する光源モジュールが構成された照明装置において、
前記複数のＬＥＤ素子は複数の赤色ＬＥＤ素子，複数の緑色ＬＥＤ素子，複数の青色
ＬＥＤ素子を有し、
前記複数の配線は、前記複数の赤色ＬＥＤ素子を直列に実装した配線、前記複数の緑色ＬＥＤ素子を直列に実装した配線、前記複数の青色ＬＥＤ素子を直列に実装した配線を有し、
前記複数の配線は並列に接続され単一の電源電圧で駆動される
照明装置。
【請求項２】
前記光源モジュールにおける前記ＬＥＤ素子は、
前記赤色ＬＥＤ素子がｎ（Ｒ）個、前記緑色ＬＥＤ素子がｎ（Ｇ）個、前記青色ＬＥＤ素子がｎ（Ｂ）個で構成され、
前記赤色ＬＥＤ素子、緑色のＬＥＤ素子、青色のＬＥＤ素子の動作電圧はそれぞれ
Ｖ（Ｒ），Ｖ（Ｇ），Ｖ（Ｂ）であり、
ｎ（Ｒ）＞ｎ（Ｇ）＝ｎ（Ｂ）、
及びｎ（Ｒ）×Ｖ（Ｒ）＝ｎ（Ｇ）×Ｖ（Ｇ）＝ｎ（Ｂ）×Ｖ（Ｂ）の関係を満たす
請求項１に記載の照明装置。
【請求項３】
前記光源モジュールにおける前記複数のＬＥＤ素子は、
前記赤色のＬＥＤ素子：前記緑色のＬＥＤ素子：前記青色のＬＥＤ素子＝３：２：２の比率で実装される
請求項１に記載の照明装置。
【請求項４】
前記光源モジュールを複数有し、
前記複数の光源モジュールそれぞれにおける電源電圧が等しい
請求項１に記載の照明装置。
【請求項５】
前記光源モジュールを複数有し、
前記複数の光源モジュールそれぞれにおける電源電圧が等しく、
前記電源電圧は６ｍ（ｍは整数）Ｖで表記される値を有している
請求項１に記載の照明装置。
【請求項６】
前記複数の光源モジュールの夫々は、
前記赤色のＬＥＤ素子が６個、前記緑色のＬＥＤ素子が４個、前記青色のＬＥＤ素子が４個の単位で構成され、
前記複数の光源モジュールの夫々の電源電圧は１２Ｖである
請求項５に記載の照明装置。
【請求項７】
請求項５に記載の照明装置と、前記照明装置から光を供給する液晶パネルと、を有する液晶表示装置であり、
前記複数の光源モジュールは、前記液晶パネルが搭載する電源より供給され印加されるタイミングコントローラ回路の１２Ｖ電源電圧と同じ電圧により駆動される
液晶表示装置。
【請求項８】
前記複数の光源モジュールは、それぞれが独立に輝度の制御を行う
請求項７に記載の液晶表示装置。
【請求項９】
前記複数の光源モジュールの夫々は、
前記赤色のＬＥＤ素子が１２個、前記緑色のＬＥＤ素子が８個、前記青色のＬＥＤ素子が８個の単位で構成され、
前記複数の光源モジュールの夫々の電源電圧は２４Ｖである
請求項４に記載の照明装置。
【請求項１０】
請求項９に記載の照明装置と、前記照明装置から光を供給する液晶パネルと、を有する液晶表示装置であり、
前記複数の光源モジュールは、前記液晶パネルが搭載する交流直流変換の２４Ｖ電源により駆動される
液晶表示装置。
【請求項１１】
前記複数の光源モジュールは、それぞれが独立に輝度の制御を行う
請求項１０に記載の液晶表示装置。
【請求項１２】
前記複数の光源モジュールの夫々は、一定電圧の電源により駆動され、前記電源電圧は１２Ｖ或いは２４Ｖであり、前記電源電圧により駆動される、
前記赤色のＬＥＤ素子のラインと、前記緑色のＬＥＤ素子のラインと、前記青色のLED素子のラインには、それぞれのラインにおいて、ツェナーダイオードが少なくとも１個搭載されており、
それぞれのラインが独立に輝度の制御を行う
請求項３に記載の液晶表示装置。
【請求項１３】
前記複数の赤色ＬＥＤ素子，前記複数の緑色ＬＥＤ素子，前記複数の青色ＬＥＤ素子のいずれかは、波長の異なる２種類以上のＬＥＤ素子を有する
請求項１に記載の照明装置。
【請求項１４】
前記複数の赤色ＬＥＤ素子は、光源用及び赤外通信用の発光波長の異なる２種類のLED素子を有する
請求項１３に記載の照明装置。
【請求項１５】
前記複数の赤色ＬＥＤ素子を直列に実装した配線、前記複数の緑色ＬＥＤ素子を直列に実装した配線、前記複数の青色ＬＥＤ素子を直列に実装した配線の夫々は、素子抵抗を有する
請求項１に記載の照明装置。
【請求項１６】
前記素子抵抗は、前記ＬＥＤ素子の温度依存性を打ち消すよう、温度係数を制御した温度補償制御である
請求項１５に記載の照明装置。
【請求項１７】
一対の透明基板と、前記一対の透明基板間に配置する液晶層と、を有する液晶パネルと、
前記液晶パネルの背面に設けられた照明装置と、を有する液晶表示装置であり、
前記照明装置は、
基板と、前記基板上に設けられた複数の配線と、前記配線上に実装された複数のＬＥＤ素子と、を有する光源モジュールを複数有し、
前記複数のＬＥＤ素子は複数の赤色ＬＥＤ素子，複数の緑色ＬＥＤ素子，複数の青色
ＬＥＤ素子を有し、
前記複数の配線は、前記複数の赤色ＬＥＤ素子を直列に実装した配線、前記複数の緑色ＬＥＤ素子を直列に実装した配線、前記複数の青色ＬＥＤ素子を直列に実装した配線を有し、
前記複数の配線は並列に接続され単一の電源電圧で駆動される
液晶表示装置。
【請求項１８】
前記照明装置が有する前記複数の光源モジュールは、それぞれが独立に輝度の制御を行う
請求項１７に記載の液晶表示装置。
【請求項１９】
一対の透明基板と、前記一対の透明基板間に配置する液晶層と、を有する液晶パネルと、
前記液晶パネルの背面に設けられた照明装置と、を有する液晶表示装置であり、
前記照明装置は、
基板と、前記基板上に設けられた複数の配線と、前記配線上に実装された複数の白色
ＬＥＤ素子と、を有する光源モジュールを複数有し、
前記複数の白色ＬＥＤ光源は複数の青色ＬＥＤ素子と前記青色ＬＥＤ素子により光励起される蛍光体からなるパッケージ構成を有し、
前記複数の配線は、前記複数の白色ＬＥＤ光源を直列に実装した配線を有し、
前記複数の配線は並列に接続され単一の電源電圧で駆動される
液晶表示装置。
【請求項２０】
前記照明装置が有する前記複数の光源モジュールは、それぞれが独立に輝度の制御を行う
請求項１９に記載の液晶表示装置。
【発明の詳細な説明】
【技術分野】
【０００１】
本発明はＬＥＤ素子を搭載する光源モジュールとそれをバックライトとして応用した液晶表示装置に関する。
【背景技術】
【０００２】
液晶ディスプレイ装置に対して、発光ダイオードＬＥＤ素子が搭載されるようになっている状況であるが、照明装置としての光源モジュールの構成については未だ十分に最適化が進んでおらず、大型液晶テレビ用には低消費電力や低コストの観点において課題があり、素子の動作やモジュールの駆動に関する技術は製品技術レベルに達していない状況である。
【０００３】
光源モジュールにＬＥＤ素子を搭載し構成することにより、従来のＣＣＦＬ技術では実現ができない面分割のエリア制御が可能になる。面分割エリア制御では、配線基板上の
ＬＥＤ素子をどのように配置構成をとり、どのように駆動させるかが重要となる。しかしながら、配線基板上の素子に対して、未だ高い印加電圧が必要であり、かつそれぞれの素子のラインに異なる印加電圧を必要としていた。
【０００４】
下記特許文献１では、光源モジュールやバックライトユニット，液晶表示装置において、パッケージに搭載されるＬＥＤ素子を７個の単位として白色混合を行う構成であり、この構成単位で駆動することを特徴としている。詳細には、ユニット構成として７個単位をベースとして、配列を７×４或いは７×８とする例を述べている。
【０００５】
また、下記特許文献２では、ＬＥＤ光源を用いたパッケージや配列構成において、素子の構成やライン駆動について示されている。詳細には、２つ以上のピーク波長を有する一つのＬＥＤ素子を搭載し、一列或いは複数列の所定間隔で配列したライン接続の基板構成を主に記載している。
【０００６】
【特許文献１】特開２００６−１３３７２１号公報
【特許文献２】特開２００６−２８６９３５号公報
【発明の開示】
【発明が解決しようとする課題】
【０００７】
上記特許文献１，２では、白色光混色と光学的均一性を得るために、素子の配列や２波長の素子構成について示しており、駆動としてはライン接続や基板個別接続として動作させることについて記載している。しかし、駆動させる電源の仕様や駆動条件について具体的な言及はなく、特に単一電源電圧で各ＬＥＤ各素子を駆動するための構成については検討されていない。
【０００８】
赤色（以下「Ｒ」と表記する），緑色（以下「Ｇ」と表記する），青色（以下「Ｂ」と表記する）各色のＬＥＤ素子を実装して光源を構成する際、各ＬＥＤ素子を単一の電源電圧で駆動することが出来れば、簡易な単一電源での動作応答や、容易な電圧調整を行うことが出来る。
【０００９】
本発明はこのような課題に基づいたものであり、その目的は、単一電源電圧により駆動することが可能なＬＥＤ光源、及びこの光源を使った液晶表示装置を実現することにある。さらに、定電源電圧で駆動するための制御について、抵抗配線の構成と材料による設計技術の内容を示し、抵抗配線の制御により、定常時の電流制御や温度変化時の電流及び光量の補償について具体的な構成を示すことにある。
【課題を解決するための手段】
【００１０】
上記課題を解決するため本発明では、以下のような構成をとることを示す。
【００１１】
本発明の構成においては、基板と、前記基板の上に設けられた配線と、前記配線上に実装される複数個の発光ダイオード素子を搭載して光源モジュールが構成される照明装置において、複数個の発光ダイオード素子が直列に接続されて単一電源電圧により動作される構成であり、個々の発光ダイオード素子が異なる電圧で動作する場合でも、複数個直列に接続することにより、前者と同じ単一電源電圧により動作することが可能であり、異なる動作電圧の発光ダイオード素子の複数個接続したラインは並列に駆動することにより、同じ単一電源電圧で駆動される、複数個の発光ダイオード素子を配線接続する光源モジュールの構成をとる。
【００１２】
また、上記構成のうち、複数個の発光ダイオード素子は赤色Red（Ｒ）と緑色Green(Ｇ)及び青色Blue（Ｂ）素子からなり、ＲＧＢ素子は各ＲＧＢごとに独立した配線上に実装搭載されており、独立した各ライン上の各々Ｒ素子とＧ素子及びＢ素子は並列して単一電源電圧Ｖ０により動作させる構成を有しており、各ＲＧＢ独立制御可能な光源モジュールと各ＲＧＢ光源を混色して白色光源とする照明装置の構成をとる。
【００１３】
また配線上に実装される複数個の発光ダイオード素子を搭載して光源モジュールが構成される照明装置において、複数個の発光ダイオード素子は、独立した各ＲＧＢライン上で並列して単一電源電圧Ｖ０により動作させる構成をとり、詳細には前記配線上に実装搭載する各ＲＧＢ素子のうち、Ｇ素子とＢ素子の数量をそれぞれｎ（Ｇ）個とｎ（Ｂ）個とし、Ｇ素子とＢ素子の動作電圧をそれぞれＶ(Ｇ)とＶ(Ｂ)とした場合、ｎ（Ｇ）・Ｖ（Ｇ）＝ｎ（Ｂ）・Ｖ（Ｂ）の関係にあり、Ｒ素子の数量をｎ（Ｒ）個とし動作電圧をＶ（Ｒ）としたときに、ｎ（Ｒ）＝ｎ（Ｇ）・Ｖ（Ｇ）／Ｖ（Ｒ）＝ｎ（Ｂ）・Ｖ（Ｂ）／Ｖ(Ｒ)でｎ（Ｇ）＝ｎ（Ｂ）＜ｎ（Ｒ）の関係があり、ｎ（Ｇ）・Ｖ（Ｇ）＝ｎ（Ｂ）・Ｖ(Ｂ)＝ｎ（Ｒ）・Ｖ（Ｒ）＝Ｖ（０）の一定電圧となる関係式の条件下において、駆動される複数個の各ＲＧＢ素子を配線接続する光源モジュールの構成を特徴とする。
【００１４】
また上記照明装置において、複数個の発光ダイオード素子は赤色Red（Ｒ）と緑色Green（Ｇ）及び青色Blue（Ｂ）素子からなり、ＲＧＢ素子は各ＲＧＢごとに独立した配線上に実装搭載されており、各ＲＧＢ素子は波長の異なる２種類以上の発光ダイオード素子からなり、独立した各ライン上の各々Ｒ素子とＧ素子及びＢ素子は並列して単一電源電圧により動作させる構成を有しており、各ＲＧＢ独立制御可能な光源モジュール或いは各ＲＧＢ光源を混色して白色光源とする構成を特徴とする。
【００１５】
また上記照明装置において、複数個の発光ダイオード素子は赤色Red（Ｒ）と緑色Green（Ｇ）及び青色Blue（Ｂ）素子からなり、ＲＧＢ素子は各ＲＧＢごとに独立した配線上に実装搭載されており、独立した各ライン上の各々Ｒ素子とＧ素子及びＢ素子は並列して単一電源電圧により動作させる構成を有しており、単一電源電圧で制御できる周期を配線基板のユニットとして構成し、前記ユニット構成の配線基板を単位として構成し、或いは前記ユニット構成の配線基板を複数枚配列して面分割のエリア制御に対応させる構成とし、輝度や色度を独立に制御させる上、各ＲＧＢ独立制御可能な光源モジュール或いは各RGB光源を混色して白色光源とする構成を特徴とする。
【００１６】
また液晶表示装置において、複数の白色発光ダイオード素子、即ち青色発光ダイオード素子と光励起される蛍光体からなる白色光源を用いて、液晶表示装置に搭載されている単一電源電圧により動作させる構成を有しており、配線基板を複数枚配列して面分割のエリア制御に対応させる構成と、輝度や色度を独立に制御させる上、独立制御可能な光源モジュールとする構成を特徴とする。
【００１７】
さらに上記照明装置を液晶ディスプレイのバックライト光源として用いることを特徴とする液晶表示装置の構成とする。
【発明の効果】
【００１８】
本発明にかかるＬＥＤ光源、及びこの光源を用いた液晶表示装置を実現することにより、簡易な動作応答や、電圧調整を行うことが可能となる。
【発明を実施するための最良の形態】
【００１９】
本発明において、照明装置や液晶表示装置の光源モジュールにおいて、定電源電圧で駆動でき、電流や光量を制御するとともに、温度変化に対する補償が可能となる構成を以下に述べる。
【００２０】
以下に本発明を実施するための具体的な形態を説明する。
【実施例１】
【００２１】
図１から図１２を用いて、本発明の第１の実施例について説明する。
【００２２】
実施例１では、配線基板に複数個のＲＧＢ各色のＬＥＤ素子を搭載実装し、ＲＧＢ各色のＬＥＤ素子の配線ラインにおいて定電源電圧となる配置構成を行う。
【００２３】
図１から図４までのそれぞれの配置構成では、絶縁層付金属基板或いはセラミックの基板１上に、反射板２を設けておき、Ｒ−ＬＥＤ素子用配線３，Ｇ−ＬＥＤ素子用配線４，Ｂ−ＬＥＤ素子用配線５のそれぞれに、Ｒ−ＬＥＤ素子６（６１０ｎｍ以上６４０ｎｍ以下の波長領域にピークを有する），Ｇ−ＬＥＤ素子７（５１０ｎｍ以上５４０ｎｍ以下の波長領域にピークを有する），Ｂ−ＬＥＤ素子８（４４５ｎｍ以上４７５ｎｍ以下の波長領域にピークを有する）を搭載実装し、透明樹脂９によりパッケージに封止する。ここでは、各ＲＧＢの配線ラインにおいてＲ−ＬＥＤ素子を６個搭載し、Ｇ−ＬＥＤ素子を４個搭載及びＢ−ＬＥＤ素子を４個搭載している。
【００２４】
本実施例では、通常の光源モジュールを提供するだけではなく、液晶ディスプレイ装置のバックライトとして適する光源モジュールも実現できる。従来、光源モジュールに使用される発光ダイオード素子は、素子サイズが小さく０.３mm 角程度の大きさであるが、本実施例では素子サイズを大きくしかつ発光効率が十分に大きくなると、液晶ディスプレイ装置のバックライトに適する光量が得られかつ低抵抗で低電力の動作が可能になってくる。即ち、各ＲＧＢ素子において、ある一定の定電圧動作に対して、必要十分な電流が流れ、その印加電流により必要十分な光量が得られるようになり、制御可能なことを見出した。素子サイズは、０.３mmより大きく１.０mmより小さい範囲の素子が望ましく、素子の電流電圧特性と光量と効率に依存して、最適サイズを判断することが要求される。
【００２５】
上記図１〜図４に示すように、ここではＲ−ＬＥＤ素子：Ｇ−ＬＥＤ素子：Ｂ−ＬＥＤ素子の比率を６：４：４として配置構成することにより、ＲＧＢ各色を直列接続したそれぞれの配線ラインを、単一の電源電圧で駆動することが可能となる。
【００２６】
図５（ａ）（ｂ）（ｃ）はＲ，Ｇ，Ｂ各色のＬＥＤ素子について電流電圧特性を示したものである。Ｒ−ＬＥＤ素子では電圧２Ｖ時に電流４０ｍＡの値が得られるのに対し、Ｇ−ＬＥＤ素子では電圧３Ｖ時に電流４０ｍＡ、Ｂ−ＬＥＤ素子では電圧３Ｖ時に電流５０ｍＡの値が得られることが分かる。このように、バックライト光源として必要十分な電流を得るための必要電圧値をＲ：Ｇ：Ｂで２：３：３と近似できるため、上記実装構成で単一電源電圧駆動が可能となる。さらに、図１〜図４の構成では、Ｒ−ＬＥＤ素子を６個、Ｇ−ＬＥＤ素子を４個、Ｂ−ＬＥＤ素子を４個ごとに配置するため、バックライトとして十分な光源を得るための電源は１２Ｖ電圧電源となる。このため、バックライト光源の駆動のために、液晶ディスプレイ装置に搭載される制御信号のタイミングコントーラTCON回路を駆動する１２Ｖ電源電圧を併用することが可能となる。また、ＬＥＤ素子の個数を上記各々２倍の数量で構成することにより、電源電圧を２４Ｖ電圧電源とすることもできる。電圧２４Ｖの電源は、液晶ディスプレイ装置に搭載される２４Ｖ電源電圧を併用することも可能である。
【００２７】
より一般的には、光源モジュールにおけるＬＥＤ素子は、Ｒ−ＬＥＤ素子がｎ（Ｒ）個、Ｇ−ＬＥＤ素子がｎ（Ｇ）個、Ｂ−ＬＥＤ素子がｎ（Ｂ）個で構成され、それぞれの
ＬＥＤ素子の動作電圧をＶ（Ｒ），Ｖ（Ｇ），Ｖ（Ｂ）とすると、ｎ（Ｒ）＞ｎ（Ｇ）＝ｎ（Ｂ）で、及びｎ（Ｒ）×Ｖ（Ｒ）＝ｎ（Ｇ）×Ｖ（Ｇ）＝ｎ（Ｂ）×Ｖ（Ｂ）の関係を満たす条件となっている。ここで、個数に関する比率は、ｎ（Ｒ）：ｎ（Ｇ）：ｎ(Ｂ)＝３：２：２であり、駆動するための最小単位の電源電圧は、ｎ(Ｒ)×Ｖ(Ｒ)＝ｎ（Ｇ）×Ｖ（Ｇ）＝ｎ（Ｂ）×Ｖ（Ｂ）の関係では６Ｖになり、ＲＧＢ素子を搭載する光源モジュールを駆動する電圧は６Ｖの整数倍６ｍＶ（ｍ：整数）になる。
【００２８】
液晶表示装置に搭載される電源や車載の２次電池では、電源電圧１２Ｖや２４Ｖを使用することができるので、上記駆動電圧の条件における適用範囲となる。
【００２９】
次に、配線基板ユニット内では、各ＲＧＢ素子の電流電圧特性に差が生じ特性がばらつくために、一定の電源電圧により駆動できるようにする必要がある。図６では、可変抵抗１０を配線ラインに導入して、全体の配線に抵抗調整することにより、定電圧電源１１に合わせて調整することができる。或いは、各ＲＧＢの配線ラインに可変抵抗１０をそれぞれ導入することにより、より精度のある抵抗値により動作電圧を調整することができる。ここでは、電源電圧を１２Ｖとした動作条件としている。
【００３０】
さらに、可変抵抗により定電源電圧に調整した配線基板ユニットを用いて、面分割型のエリア制御を行い、液晶ディスプレイ装置のバックライトの駆動を実現する。
【００３１】
図７は本実施例のＬＥＤ光源の全体図を示す。
【００３２】
バックライトモジュール筐体１２に対して、本実施例の光源モジュールユニット１３を複数搭載し、面分割型のエリア制御可能なバックライトモジュールを構成できる。大型液晶ディスプレイ表示装置では、大型サイズになればなるほど、面分割型のエリア制御が有効であり、動画シーンごとに面分割で駆動する対応により、シーンごとの低電力動作が可能になってくる。駆動時における消費電力では、大型液晶テレビにおいて、例えば３２型換算で８分割の８×８面分割のエリア制御を行う、配線基板ユニットの構成にすると、上記各ＲＧＢ素子の発光効率と電力特性から、消費電力１００Ｗより低い電力によって液晶ディスプレイのバックライトを駆動できる上、この動作条件をベースにして、動画シーンごとにさらに低電力で画像を映し出すことができることを意味している。
【００３３】
ここで、本実施例では各ＬＥＤ素子を単一電源電圧で駆動できるため、図７における複数の光源モジュールユニット１３も当然に単一の電源電圧で駆動することが可能となる。このため、図７では、光源モジュールユニット１３それぞれに電源を配置することが考えられるが、これらの電源を単一の電源で並列に構成することも可能となる。また、各配線基板ユニットは各ＲＧＢ配線ラインが１２Ｖで動作するので、液晶ディスプレイ装置に搭載される制御信号のタイミングコントローラＴＣＯＮ回路を駆動する１２Ｖ電源電圧と同様の電源電圧を使用することができる。即ち、液晶ディスプレイ装置に内蔵である電源電圧に合わせて、各配線基板ユニットを並列に１２Ｖで動作せることができる。これにより、外部の特定の電源電圧が不必要になるので、簡易な単一電源での動作対応と容易な電圧調整を同時に達成する照明装置を適用できる。
【００３４】
上記ＬＥＤ光源モジュールを用いた液晶表示装置全体の構成について説明する。
【００３５】
本発明の実施例において、発光ダイオード素子を実装搭載する、大型液晶表示装置の断面構成を図８に示す。バックライトモジュール筐体１２上に、各光源モジュールユニット１３を搭載するモジュールを構成する。各光源モジュールユニット１３のパッケージから出射されるバックライト光線１４は、拡散板１５，正プリズムシート１６，拡散フィルム１７，下部偏光板１８，薄膜トランジスタ回路とカラーフィルタ及び液晶パネル１９，上部偏光板２０を透過して、液晶パネル表示装置を照明する。
【００３６】
本実施例の液晶パネル表示装置を構成するバックライトモジュールには、上記各ＲＧＢＬＥＤ素子の構成と配線基板ユニットの構成に関する内容が組み込まれている。上面図を示す図９では、大型液晶テレビに対応する構成であり、バックライト筺体２１，駆動回路２２及び大型液晶表示パネル２３を組み込んで構成される。バックライトモジュールにおいて、光源モジュールの配線基板ユニット内の回路構成を図１０に示し、バックライトモジュール筺体全体における回路構成を図１１に示す。図１０の光源モジュールの配線基板ユニットでは、各ＲＧＢラインで一定の電圧電源で駆動できるようにしておき、トランジスタ２４を用いて信号によりスイッチングできるようにしておく。図１１のバックライトモジュール全体では、制御回路は横方向と縦方向のシフトレジスタによって構成されており、各配線基板ユニットのオンオフを制御しており、各ユニット内では、フリップフロップ２５の出力をトランジスタ２４のゲートに入力し、各ＲＧＢラインのＬＥＤ素子をオンオフさせて、縦横の信号制御に対応している。これにより、各配線基板ユニットを面分割エリア制御として駆動することができる。
【００３７】
本実施例の発光ダイオード素子の構成と配線基板ユニットの構成は、照明装置の光源モジュールや大型液晶パネル表示装置のみならず、中小型液晶表示装置である、パーソナルコンピュータ用液晶パネル及びカーナビゲーションのバックライト光源にも適用できる。図１２には、バックライトモジュール及び光学系を含む中小型液晶表示パネル２６と、回路配線２７、及び駆動回路２８の構成を示す。本実施例の光源モジュールをバックライトとした照明装置に適用でき、一定の電源電圧で駆動できる中小型液晶表示装置も提供できる。
【００３８】
本発明実施例により、大型及び中小型の液晶表示装置において、各配線基板ユニットを対応させて搭載構成し、定電源電圧で駆動し、面分割型のエリア制御により、シーンごとに分割画像制御と電力制御を可能とすることができる。バックライトモジュールにおいて、各配線基板ユニットを光学的に配置構成することにより、必要とされる輝度分布や色度分布の均一性を確保できる。
【実施例２】
【００３９】
図１３〜図１５を用いて、本発明の第２の実施例を説明する。
【００４０】
本実施例では、上記実施例１と同様に配線基板ユニットを構成するが、各ＲＧＢ−LED素子の配線ラインには、配線抵抗をあらかじめ設けておく点に特徴がある。配線基板ユニット内では、各ＲＧＢ−ＬＥＤ素子の電流電圧特性に差が生じて特性がばらつくために、一定の電源電圧により駆動できるようにする必要がある。液晶ディスプレイ装置のバックライトとして、駆動に要求される定電源電圧１２Ｖで動作するようにするため、各ＲＧＢ素子の配線ラインにあらかじめ要求される抵抗値をモニタしておく。このモニタしてある抵抗値と、実際に検査工程において、測定評価した抵抗値を比較することにより、どの程度の差が生じているか判断できる。検査時において行うのは、各ラインのＬＥＤ素子点灯検査と同時に、ファンクショントリミングにより抵抗配線の抵抗値を調整することにより、駆動電圧を１２Ｖ動作とするように、フィードバック制御する機能である。
【００４１】
図１３では、各配線基板ユニットにおいて、事前に設定しておいた抵抗配線２９に対して必要な抵抗値を得るための配線加工を行う。ここでは、レーザ加工の工程により、初期の配線抵抗を示す図１３（ａ）の抵抗部３０から、検査工程により必要な抵抗値を設定するため、図１３（ｂ）のトリミング抵抗部３１へ調整するファンクショントリミングを適用する。上記の検査工程時においては、必要な抵抗値を設定する際に、液晶ディスプレイ装置のバックライトが定常的に動作する環境として、動作時の環境温度を例えば４０〜
５０℃の範囲に設定した動作条件としておくことができる。配線基板上の素子抵抗を配線抵抗によって調整する上記ファンクショントリミングを適用することにより、特定の動作環境温度時を設定すると、図６で必要であった可変抵抗１０は構成する必要がなくなる。また検査工程と配線抵抗の調整により、配線基板ユニットごとに素子特性のばらつきに対応した動作電流の調整を実現できる。これらにより、液晶ディスプレイ装置のバックライトとして、動作環境時に最も適切な条件の下で動作電圧を設定でき、かつ発光効率を考慮した光量を必要十分に確保するようにできる。実施例１と同様に、抵抗調整と動作電圧を規定した上記配線基板ユニットを実装配置することにより、図１４に示す一定の電源電圧で動作するバックライトモジュールを提供できる。
【００４２】
図１５には、各ＲＧＢラインの電流電圧特性と、導入する配線抵抗との動作点に関する例を示す。これによると、各ＲＧＢラインともに、設定する配線抵抗の調整値によって、動作電圧１２Ｖの条件のもとで動作電流は４０〜５０ｍＡまで設定可能であることが判る。各ＲＧＢラインの抵抗値設定によって、ＬＥＤ素子に注入する電流も制御でき、検査時の配線抵抗の調整により、配線基板ユニットごとに素子特性のばらつきに対応した動作電流の調整を実現できる。バックライトモジュール全体として必要とされる設計に基づいて、所定の光量と白色バランスについても、配線基板ユニットごとに設計できることになる。
【００４３】
これらにより、液晶ディスプレイ装置のバックライトとして、動作環境における動作電流を制御でき、実用上で必要とされる使用条件の下で動作電圧を設定でき、かつ発光効率を考慮した光量を必要十分に確保するようにできる。
【００４４】
本発明における実施例により、各ＲＧＢ−ＬＥＤ素子を単一の定電圧電源で動作させ、各配線基板ユニットを液晶ディスプレイ装置に内蔵の１２Ｖ定電源電圧で駆動できる構成を実現できる。その上に、抵抗値の制御により、定電源電圧で駆動できる配線基板ユニットを提供する。本実施例の発光ダイオード素子の構成と配線基板ユニットの構成は、照明装置の光源モジュールのみならず、テレビ用液晶パネル表示装置や、パーソナルコンピュータ用液晶パネル及びカーナビゲーションのバックライト光源にも適用できる。
【実施例３】
【００４５】
図１６〜図２８を用いて、本発明の第３の実施例を説明する。
【００４６】
本実施例では、上記実施例２と同様に配線基板ユニットを構成するが、各ＲＧＢ−LED素子の配線ラインに、ツェナーダイオード素子を設けることに特徴がある。本実施例では、検査時において、各ラインのＬＥＤ素子点灯検査と同時に、ファンクショントリミングにより抵抗配線の抵抗値を調整することと、ツェナーダイオード素子を用いることにより動作電圧の温度補償も行いながら、駆動電圧を１２Ｖ或いは２４Ｖ動作とする構成にする機能を有する。
【００４７】
まず、Ｒ−ＬＥＤ素子のラインに適用した例を示す、図１６では、Ｒ−ＬＥＤ素子の配線ラインに対して、ツェナーダイオード素子を設ける場合を示す。配線ラインには、Ｒ−ＬＥＤ素子が４個とツェナーダイオード素子が実装され配置されている。Ｒ−ＬＥＤ素子４個の動作電圧７〜８Ｖとツェナーダイオード素子の動作電圧４〜５Ｖにより、Ｒ−LED素子の配線ラインを電圧１２Ｖ近傍で駆動できるようにする。この際、レーザ加工等の工程により、初期の配線抵抗を示す図１６（ａ）の抵抗部３０から、検査工程により必要な抵抗値を設定するため図１６（ｂ）のトリミング抵抗部３１へ調整するファンクショントリミングを適用する。トリミング抵抗部３１により、Ｒ−ＬＥＤ素子の配線ラインの動作電圧を１２Ｖに調整可能である。図１７（ａ）（ｂ）では、Ｒ−ＬＥＤ素子の配線ライン上の配線抵抗を導入せずに、ツェナーダイオード素子の内部抵抗を考慮して、動作電圧
１２Ｖに設定する場合を示す。図１６及び図１７において、ＧとＢ−ＬＥＤ素子の配線ラインは、配線抵抗の調整により、動作電圧１２Ｖに設定する。
【００４８】
上記ツェナーダイオード素子において、動作電圧の温度係数を考慮して設計することにより、温度変化に対するＲ−ＬＥＤ素子の動作電圧変化量を補償することが可能である。図１８は、Ｒ−ＬＥＤ素子の電圧変化量を動作温度とともにプロットしたものである。半導体からなる発光ダイオード素子は、温度に対する伝導体キャリアの活性化により、定電流条件では、温度が高いほど電圧は低くなる。このため、ＬＥＤ素子の電圧変化量の温度係数は負となる。図１８における、定電流時の電圧変化量に対して、Ａ線で示される正の温度係数をもつ動作条件が可能なツェナーダイオード素子を選択することにより、Ｒ−
ＬＥＤ素子の定電流時電圧変化量は補償することができる。Ａ線で示される温度係数は、ツェナーダイオード素子に少なくとも１０Ｖ以上印加する場合である。他方、ＬＥＤ素子では、温度が変化しても、定光量で定輝度の条件のもとで、駆動することが必要となる。このため、定光量で定輝度の条件における、動作電圧の温度依存性を調べると、図１８に示す結果が得られた。この条件下におけるＲ−ＬＥＤ素子の動作電圧変化量を補償するのは、Ｂ線で示すラインである。Ｂ線で示される温度係数は、ツェナーダイオード素子を４−６Ｖで動作させたときに得られる正の温度係数である。これにより、定光量で定輝度の条件で動作するＲ−ＬＥＤ素子の電圧温度変化量を補償することがより低い電圧で実現される。即ち、配線ライン上のＲ−ＬＥＤ素子の動作電圧と、ツェナーダイオード素子の動作電圧を足し合わせて、動作電圧１２Ｖを実現できる。さらに、ツェナーダイオード素子の動作電圧変化の温度係数により、Ｒ−ＬＥＤ素子の電圧変化量をキャンセルして温度補償することが同時に達成される。上記配線基板ユニットを配列することにより、実施例１や２と同様に、図１９に示す一定の電源電圧で動作するバックライトモジュールを提供できる。
【００４９】
次に、ツェナーダイオード素子をＧとＢ−ＬＥＤ素子の配線ラインにも適用した場合を示す。図２０（ａ）（ｂ）では、各ＲＧＢ−ＬＥＤ素子の配線ラインにツェナーダイオード素子をそれぞれ搭載している。図２１では、ツェナーダイオード素子の内部抵抗を考慮して設計することにより、配線抵抗を導入せずに、動作電圧の調整が可能となる場合を示す。図２０及び図２１ともに、Ｒ−ＬＥＤ素子に対するツェナーダイオード素子の効果は上記で示した通りである。ＧとＢ−ＬＥＤ素子の配線ラインに対しては、電圧温度変化量が大きくなるため、ツェナーダイオード素子の動作電圧を高くする必要がある。このため、ＧとＢ−ＬＥＤ素子の配線ラインには、図２０及び図２１に示す定電圧電源３３に定電圧２４Ｖを適用してある。図２２（ａ）（ｂ）（ｃ）には、Ｒ−ＬＥＤ素子だけでなく、ＧとＢ−ＬＥＤ素子の電圧温度変化量を示してある。ＧとＢ−ＬＥＤ素子では、定光量で定輝度の条件で動作する場合において、電圧温度変化量は定電流時の条件に近い傾向を示している。このため、ツェナーダイオード素子の動作電圧を高くして、補償する動作電圧の温度係数を大きくする必要があることが判る。
【００５０】
図２３と図２４及び図２５では、ツェナーダイオード回路３４を導入して、Ｒ−ＬＥＤ素子の配線ラインに定電圧１２Ｖの定電圧電源１１を設定し、ＧとＢ−ＬＥＤ素子の配線ラインに定電圧２４Ｖの定電圧電源３３を適用して、配線基板ユニットとバックライト筐体モジュールを構成した場合を示す。また、図２６と図２７及び図２８では、Ｒ−ＬＥＤ素子の配線ラインと、ＧとＢ−ＬＥＤ素子の配線ラインに定電圧２４Ｖの定電圧電源３３を共通に適用して、配線基板ユニットとバックライト筐体モジュールを構成した場合を示す。どちらにおいても、配線基板ユニット単位で各ＲＧＢ−ＬＥＤ素子の配線ラインの電圧温度変化量を補償させることができる。
【００５１】
これらにより、液晶ディスプレイ装置のバックライトとして、動作環境時の温度に対しても、温度補償回路を別に導入することなく、設計した動作電圧の温度補償を実現できる。温度補償する動作電圧は、定光量で定輝度の条件で動作する電圧印加条件となる。
【００５２】
本発明における実施例により、各ＲＧＢ−ＬＥＤ素子を定電圧電源１２Ｖ或いは２４Ｖで動作させることができ、液晶ディスプレイ装置に内蔵の定電圧電源で交流直流変換用電源電圧２４Ｖから分配して駆動できる構成を実現できる。その上に、ツェナーダイオード素子を導入することにより、動作電圧の温度変化量をキャンセルした温度補償制御を可能とした配線基板ユニットを提供する。さらに、本実施例の発光ダイオード素子の構成と配線基板ユニットの構成は、照明装置の光源モジュールのみならず、テレビ用液晶パネル表示装置や、パーソナルコンピュータ用液晶パネル及びカーナビゲーションのバックライト光源にも適用できる。
【実施例４】
【００５３】
次に、本発明の第４の実施例について、図２９から図３６を用いて説明する。
【００５４】
本実施例では、実施例１の構成に加え、光源モジュールに実装するＬＥＤ素子の一部を光源以外の他の用途に用いる点に特徴を有する。特に、実施例１で説明した光源モジュールユニットでは、Ｂ，ＧのＬＥＤ素子４個に対し、Ｒ−ＬＥＤ素子６個を実装する構成であるため、Ｒ−ＬＥＤ素子の一部を光源以外の他の用途、例えば赤外通信の用途として用いることが考えられる。
【００５５】
この結果として、本実施例では、複数個のＲＧＢ−ＬＥＤ素子は波長の異なる少なくとも２種類の素子からなり、独立した各ライン上のＲ素子とＧ素子及びＢ素子は並列して単一電源電圧により動作させる構成を有す構成をとる。
【００５６】
以下、具体的な構成について説明する。
【００５７】
配線基板ユニットの中で、白色バランスをとり、輝度及び色度の均一性が確保できている条件の下、各ＲＧＢ−ＬＥＤ素子において波長が異なる素子を導入することができる。図２９では、各ＲＧＢ−ＬＥＤ素子のうち、例えばＲ−ＬＥＤ素子では、６個の素子のうち、４個を用いることにより、バックライトとして必要とされる輝度と白色バランスを保ちながら、残りの２個のＬＥＤ素子は、赤外ＬＥＤ素子３５に設定することを示している。配線基板ユニットの実装形態において、Ｒ−ＬＥＤ素子の赤色可視光波長域（６１０〜６４０ｎｍ範囲）と赤外ＬＥＤ素子の赤外波長域（７８０〜１１００ｎｍ範囲）を使い分けることにより、赤外線通信の可能な波長の異なる少なくとも２種類の発光ダイオード素子からなる光源モジュールを構成することができる。赤外線通信には、受光検知器センサーの感度が高い波長として、９５０ｎｍ前後で８３０〜１０３０ｎｍ範囲であるＬＥＤ素子を搭載していることが望ましい。
【００５８】
赤外波長域のＬＥＤ素子は、赤外線通信により照明装置や液晶ディスプレイ装置の外部との信号のやり取りを可能とし、双方向通信の光源としても使用することができる。赤外線通信により、照明装置や液晶ディスプレイ装置から、文字情報や音楽情報、或いは映像に付随する情報を受け取ることが可能である。受信側の機器は、パーソナルコンピュータや情報端末機器があり、或いは記録メディアへの転送なども対象となる。
【００５９】
図３０では、上側に示す、通常ディスプレイ表示装置に１フレームの映像信号に対して、下側に示すように、映像信号に高速変調の通信用信号を重畳させることが可能である。Ｒ−ＬＥＤ素子の配線ラインを駆動する信号に対して、赤外ＬＥＤ素子を通じて赤外線通信を外部機器と行うことができるようになる。
【００６０】
図３０では、バックライトに印加する信号波形について、１フレーム中にパルス幅変調ＰＷＭ制御で印加した場合を示している。上の方に、通常の従来技術によるバックライト信号の電圧波形を示し、下の方に、本実施例におけるバックライト信号の電圧波形を示す。通常のバックライト信号は、映像信号と同期させてＰＷＭ制御しており、電圧Ｉ（１）レベルの大きさで矩形状の波形により対応させている。これに対して、本実施例では、電圧Ｉ（０）レベルの波形を土台として、電圧Ｉ（１）レベルの櫛型状の波形を重畳させることによって、バックライト信号波形を形成している。ここで、通常のバックライト信号の強度と同程度の強度にするため、電圧Ｉ（０）レベルの波形幅を通常より広く設定するか或いは電圧Ｉ（１）レベルの波形高さを通常より高く設定することにより、強度を調整することができる。上記バックライトの輝度調整を行いながら、電圧Ｉ（１）レベルの各櫛型波形の幅を調節することによって、バックライト照射とは別の信号を送信することができる。本実施例では、Ｒ−ＬＥＤ素子の配線ラインにおいて、赤外ＬＥＤ素子を搭載しており、上記櫛型波形の信号を重畳しているので、外部赤外線検知器と赤外線通信を行うことができる。Ｒ−ＬＥＤ素子は、液晶パネルを照射するバックライト光源として、赤外ＬＥＤ素子は、赤外線通信用の光源として、機能させることができることになる。
【００６１】
外部の赤外線検知器を有する受信機器は、テレビのリモコン機器であるか、或いはパーソナルコンピュータであるか或いはＰＤＡ機器であるか、さらには無線対応を有する機器であってもよい。これにより、バックライト信号に重畳させる赤外線の信号により、本実施例のバックライト光源を有するディスプレイ表示装置から、所望の信号を取り出すことが可能となる。つまり、液晶ディスプレイ表示装置と情報端末機器との信号のやり取りが実現されることになる。
【００６２】
図３１には、上記実施例と同様に、配線抵抗を導入して、定電圧電源１２Ｖの動作を可能とした構成を示している。また、図３１には、上記実施例と同様に、ツェナーダイオード素子を導入して、定電圧電源２４Ｖの動作を可能とした構成を示している。図３３と図３４には、ツェナーダイオード素子を導入した実施例と同様に、それぞれ配線基板ユニットの回路構成とバックライト筐体モジュールの回路構成を作製できることを示す。
【００６３】
図３５と図３６は、赤外ＬＥＤ素子を搭載する光源モジュールユニット３６を配置した大型液晶表示装置である。大型液晶テレビに対応する構成を示し、バックライト筺体２１，駆動回路２２及び大型液晶表示パネル２３を組み込んで構成される。赤外線通信を行う対象機器や送信する信号情報により、赤外ＬＥＤ素子を搭載する配線基板ユニットの配置構成は使い分けることができる。
【００６４】
また、各ＲＧＢ−ＬＥＤ素子において、波長が異なる素子を導入することもできる。配線基板ユニット単位において、輝度や白色バランスが保たれていればよいので、それぞれのＬＥＤ素子において異なる２つの波長を有するＲＧＢ−ＬＥＤ素子を搭載していてもよい。
【００６５】
また、各ＲＧＢ−ＬＥＤ素子のうち、例えばＢ−ＬＥＤ素子では、配線基板ユニットの実装形態において、可視光の青色波長域と紫外光の波長域を有する波長の異なる少なくとも２種類の発光ダイオード素子からなる光源モジュールを構成することもできる。紫外波長域のＬＥＤ素子は、蛍光体を封止する白色光源として使用することもできる。
【００６６】
本発明における実施例により、各ＲＧＢの発光ダイオード素子を単一の定電圧電源で動作させ、各配線基板ユニットを液晶ディスプレイ装置に内蔵の定電源電圧１２Ｖ或いは
２４Ｖで駆動できる構成を実現できる。さらに、光源として波長の異なる少なくとも２種類の発光ダイオード素子を使用することができ、波長によって特徴的な機能と用途を適用することができる。本実施例の発光ダイオード素子の構成と配線基板ユニットの構成は、照明装置の光源モジュールのみならず、テレビ用液晶パネル表示装置や、パーソナルコンピュータ用液晶パネル及びカーナビゲーションのバックライト光源にも適用できる。
【実施例５】
【００６７】
本発明の第５の実施例について、図３７〜図４８を用いて、説明する。
【００６８】
本実施例では、青色ＬＥＤ素子と青色光に光励起される蛍光体とからなる白色ＬＥＤ光源を用いた液晶表示装置の構成について説明する。
【００６９】
図３７から図４０までのそれぞれの配置構成では、絶縁層付金属基板或いはセラミックの基板１上に、反射板２を設けておき、Ｂ−ＬＥＤ素子用配線５のそれぞれに、Ｂ−LED素子８を搭載実装し、蛍光体３７を封入し透明樹脂３８によりパッケージに封止する。ここでは、配線ラインにおいて、Ｂ−ＬＥＤ素子を４個搭載している。
【００７０】
以下、具体的な構成について説明する。
【００７１】
図４１には、上記実施例と同様に、配線抵抗を導入して、定電圧電源１２Ｖの動作を可能とした構成を示している。また、図４２には、上記実施例と同様に、ツェナーダイオード素子を導入して、定電圧電源２４Ｖの動作を可能とした構成を示している。図４３と図４４には、それぞれ配線抵抗及びツェナーダイオード素子を導入した場合の配線基板ユニットを実装配置した、バックライト筐体モジュールを示し、それぞれ電源電圧１２Ｖ及び２４Ｖで動作させることができることを示す。
【００７２】
図４５と図４６には、ツェナーダイオード素子を導入した場合を示し、それぞれ配線基板ユニットの回路構成とバックライト筐体モジュールの回路構成を作製できることを示す。
【００７３】
図４７は、白色ＬＥＤ素子を搭載する配線基板ユニットを配置した大型液晶表示装置である。大型液晶テレビに対応する構成を示し、バックライト筺体２１，駆動回路２２及び大型液晶表示パネル２３を組み込んで構成される。
【００７４】
図４８には、白色ＬＥＤ素子を搭載するバックライトモジュール及び光学系を含む中小型液晶表示パネル２６と、回路配線２７、及び駆動回路２８の構成を示す。本実施例の光源モジュールをバックライトとした照明装置に適用でき、一定の電源電圧で駆動できる中小型液晶表示装置も提供できる。
【００７５】
本発明における実施例により、白色ＬＥＤ素子を単一の定電圧電源で動作させ、各配線基板ユニットを液晶ディスプレイ装置に内蔵の定電源電圧１２Ｖ或いは２４Ｖで駆動できる構成を実現できる。液晶表示装置のサイズは大型及び中小型に限らず、各配線基板ユニットを対応させて搭載構成し、定電源電圧で駆動し、面分割型のエリア制御により、シーンごとに分割画像制御と電力制御を可能とすることができる。バックライトモジュールにおいて、配線基板ユニットを光学的に配置構成することにより、白色光源の必要とされる輝度分布や色度分布の均一性を確保できる。本実施例の発光ダイオード素子の構成と配線基板ユニットの構成は、照明装置の光源モジュールのみならず、テレビ用液晶パネル表示装置や、パーソナルコンピュータ用液晶パネル及びカーナビゲーションのバックライト光源にも適用できる。
【産業上の利用可能性】
【００７６】
本発明内容は、高輝度白色光源の照明装置や、大型液晶テレビ用の液晶表示装置や携帯電話やパソコン用などの中小型液晶表示装置に対するバックライトモジュール及びバックライト光源として適用できる。
【図面の簡単な説明】
【００７７】
【図１】本発明における各発光ダイオード素子を搭載実装する配線接続を示す上面図。
【図２】本発明における各発光ダイオード素子を搭載実装する配線接続を示す上面図。
【図３】本発明における各発光ダイオード素子を搭載実装する配線接続を示す上面図。
【図４】本発明における各発光ダイオード素子を搭載実装する配線接続を示す上面図。
【図５】本発明の各ＲＧＢ発光ダイオード素子（（ａ）Ｒ−ＬＥＤ素子，（ｂ）Ｇ−ＬＥＤ素子，（ｃ）Ｂ−ＬＥＤ素子）における電流電圧特性の例を示す図。
【図６】本発明の定電圧電源駆動と抵抗調整を行う配線基板ユニットを構成する上面図。
【図７】本発明の定電圧電源駆動する面分割型エリア制御のバックライト構成を示す上面図。
【図８】本発明の配線基板ユニットを搭載するバックライト筐体と光学系の構成を示す断面図。
【図９】本発明の発光ダイオード素子バックライトモジュールを用いた大型液晶パネル表示装置の上面図。
【図１０】本発明の配線基板ユニットに搭載する回路構成を示す上面図。
【図１１】本発明の定電圧電源駆動面分割型エリア制御の回路構成を示す上面図。
【図１２】本発明の発光ダイオード素子バックライトモジュールを用いた中小型液晶パネル表示装置の上面図。
【図１３】本発明の抵抗配線を搭載する配線基板ユニットを構成する上面図（（ａ）トリミング前抵抗配線，（ｂ）トリミング後抵抗配線）。
【図１４】本発明の定電圧電源駆動する面分割型エリア制御のバックライト構成を示す上面図。
【図１５】本発明の各ＲＧＢ発光ダイオード素子（（ａ）Ｒ−ＬＥＤ素子，（ｂ）Ｇ−ＬＥＤ素子，（ｃ）Ｂ−ＬＥＤ素子）の直列配置における電流電圧特性と動作点の例を示す図。
【図１６】本発明の抵抗配線とツェナーダイオードを搭載する配線基板ユニットを構成する上面図（（ａ）トリミング前抵抗配線，（ｂ）トリミング後抵抗配線）。
【図１７】本発明の抵抗配線とツェナーダイオードを搭載する配線基板ユニットを構成する上面図（（ａ）トリミング前抵抗配線，（ｂ）トリミング後抵抗配線）。
【図１８】本発明のＲ発光ダイオード素子の直列配置における温度に対する電圧変化量の例を示す図。
【図１９】本発明の定電圧電源駆動する面分割型エリア制御のバックライト構成を示す上面図。
【図２０】本発明の抵抗配線とツェナーダイオードを搭載する配線基板ユニットと定電圧電源を構成する上面図（（ａ）トリミング前抵抗配線，（ｂ）トリミング後抵抗配線）。
【図２１】本発明のツェナーダイオードを搭載する配線基板ユニットと定電圧電源を構成する上面図。
【図２２】本発明の各ＲＧＢ発光ダイオード素子（（ａ）Ｒ−ＬＥＤ素子，（ｂ）Ｇ−ＬＥＤ素子，（ｃ）Ｂ−ＬＥＤ素子）の直列配置における温度に対する電圧変化量の例を示す図。
【図２３】本発明の定電圧電源駆動する面分割型エリア制御のバックライト構成を示す上面図。
【図２４】本発明の配線基板ユニットに搭載する回路構成を示す上面図。
【図２５】本発明の定電圧電源駆動面分割型エリア制御の回路構成を示す上面図。
【図２６】本発明の定電圧電源駆動する面分割型エリア制御のバックライト構成を示す上面図。
【図２７】本発明の配線基板ユニットに搭載する回路構成を示す上面図。
【図２８】本発明の定電圧電源駆動面分割型エリア制御の回路構成を示す上面図。
【図２９】本発明の赤外発光ダイオード素子と抵抗配線を搭載する配線基板ユニットと定電圧電源を構成する上面図。
【図３０】本発明の配線基板ユニット搭載の赤外発光ダイオード素子におけるパルス信号と重畳信号の例を示す図。
【図３１】本発明の定電圧電源駆動する面分割型エリア制御のバックライト構成を示す上面図。
【図３２】本発明の定電圧電源駆動する面分割型エリア制御のバックライト構成を示す上面図。
【図３３】本発明の配線基板ユニットに搭載する回路構成を示す上面図。
【図３４】本発明の定電圧電源駆動面分割型エリア制御の回路構成を示す上面図。
【図３５】本発明の赤外発光ダイオード素子搭載のバックライトモジュール大型液晶パネル表示装置の上面図。
【図３６】本発明の赤外発光ダイオード素子搭載のバックライトモジュール大型型液晶パネル表示装置の上面図。
【図３７】本発明における白色発光ダイオード素子を搭載実装する配線接続を示す上面図。
【図３８】本発明における白色発光ダイオード素子を搭載実装する配線接続を示す上面図。
【図３９】本発明における白色発光ダイオード素子を搭載実装する配線接続を示す上面図。
【図４０】本発明における白色発光ダイオード素子を搭載実装する配線接続を示す上面図。
【図４１】本発明の抵抗配線を搭載する配線基板ユニットを構成する上面図。
【図４２】本発明のツェナーダイオードを搭載する配線基板ユニットと定電圧電源を構成する上面図。
【図４３】本発明の定電圧電源駆動する面分割型エリア制御のバックライト構成を示す上面図。
【図４４】本発明の定電圧電源駆動する面分割型エリア制御のバックライト構成を示す上面図。
【図４５】本発明の配線基板ユニットに搭載する回路構成を示す上面図。
【図４６】本発明の定電圧電源駆動面分割型エリア制御の回路構成を示す上面図。
【図４７】本発明の定電圧電源駆動面分割型エリア制御の回路構成を示す上面図。
【図４８】本発明の赤外発光ダイオード素子搭載のバックライトモジュール大型液晶パネル表示装置の上面図。
【符号の説明】
【００７８】
１  基板
２  反射板
３  Ｒ−ＬＥＤ素子用配線
４  Ｇ−ＬＥＤ素子用配線
５  Ｂ−ＬＥＤ素子用配線
６  Ｒ−ＬＥＤ素子
７  Ｇ−ＬＥＤ素子
８  Ｂ−ＬＥＤ素子
９，３８  透明樹脂
１０  可変抵抗  
１１，３３  定電圧電源
１２  バックライトモジュール筺体
１３，３６  光源モジュールユニット
１４  バックライト光線
１５  拡散板
１６  正プリズムシート
１７  拡散フィルム
１８  下部偏光板
１９  薄膜トランジスタ回路とカラーフィルタ及び液晶パネル
２０  上部偏光板
２１  バックライト筺体
２２  駆動回路
２３  大型液晶表示パネル
２４  トランジスタ
２５  フリップフロップ
２６  中小型液晶表示パネル
２７  回路配線
２８  駆動回路
２９  抵抗配線
３０  抵抗部
３１  トリミング抵抗部
３２  ツェナーダイオード
３４  ツェナーダイオード回路
３５  赤外ＬＥＤ素子
３７  蛍光体
【図１】
2008269947.tif 000003
【図２】
2008269947.tif 000004
【図３】
2008269947.tif 000005
【図４】
2008269947.tif 000006
【図５】
2008269947.tif 000007
【図６】
2008269947.tif 000008
【図７】
2008269947.tif 000009
【図８】
2008269947.tif 000010
【図９】
2008269947.tif 000011
【図１０】
2008269947.tif 000012
【図１１】
2008269947.tif 000013
【図１２】
2008269947.tif 000014
【図１３】
2008269947.tif 000015
【図１４】
2008269947.tif 000016
【図１５】
2008269947.tif 000017
【図１６】
2008269947.tif 000018
【図１７】
2008269947.tif 000019
【図１８】
2008269947.tif 000020
【図１９】
2008269947.tif 000021
【図２０】
2008269947.tif 000022
【図２１】
2008269947.tif 000023
【図２２】
2008269947.tif 000024
【図２３】
2008269947.tif 000025
【図２４】
2008269947.tif 000026
【図２５】
2008269947.tif 000027
【図２６】
2008269947.tif 000028
【図２７】
2008269947.tif 000029
【図２８】
2008269947.tif 000030
【図２９】
2008269947.tif 000031
【図３０】
2008269947.tif 000032
【図３１】
2008269947.tif 000033
【図３２】
2008269947.tif 000034
【図３３】
2008269947.tif 000035
【図３４】
2008269947.tif 000036
【図３５】
2008269947.tif 000037
【図３６】
2008269947.tif 000038
【図３７】
2008269947.tif 000039
【図３８】
2008269947.tif 000040
【図３９】
2008269947.tif 000041
【図４０】
2008269947.tif 000042
【図４１】
2008269947.tif 000043
【図４２】
2008269947.tif 000044
【図４３】
2008269947.tif 000045
【図４４】
2008269947.tif 000046
【図４５】
2008269947.tif 000047
【図４６】
2008269947.tif 000048
【図４７】
2008269947.tif 000049
【図４８】
2008269947.tif 000050